(57)【要約】【課題】スロットラインが多層基板の内層に形成されている場合に、その長さの調整を、安価にかつ容易に行なう。【解決手段】多層基板の内層に形成されたスロットラインを複数の調整用スルーホールを介して表層のＧＮＤパターンに接続する。このＧＮＤパターンに、スロットラインに良く似た形状のパターン解放部を設ける。このパターン解放部の形状を変更することによって、スロットラインの形状を変更するのと同様に、スロットラインの周波数特性を調整可能である。【選択図】図３
2009021668.tif 000002
【特許請求の範囲】
【請求項１】
表裏両面にそれぞれ形成された第１の導体層と第２の導体層とを有する誘電体基板と、
前記第１の導体層にはグラウンドパターンが形成され、
前記第２の導体層には線状スロットラインが形成され
前記誘電体基板を貫通して前記グラウンドパターンと前記線状スロットラインとを導通する複数のスルーホールと
を具備し、
前記グラウンドパターンは、
前記誘電体基板を前記線状スロットラインに沿って露出して、前記線状スロットラインよりも幅の広いパターン解放部
を具備し、
前記複数のスルーホールは、前記パターン解放部の両側に形成されている
回路基板。
【請求項２】
請求項１に記載の回路基板において、
前記誘電体基板の第２の導体層側に積層された、他の回路基板
をさらに具備する
回路基板。
【請求項３】
請求項１または２に記載の回路基板において、
前記誘電体基板の第１の面に形成されたミキサ回路表層部と、
前記誘電体基板の第２の面にさらに形成されて、前記線状スロットラインに接続された枠状スロットラインと、
前記誘導体基板を貫通して、前記ミキサ回路表層部と前記誘電体基板の第２の面の導体層とを導通させる、複数の信号用スルーホールと
をさらに具備し、
前記ミキサ回路表層部は、
ＲＦ（Ｒａｄｉｏ  Ｆｒｅｑｕｅｎｃｙ：高周波）信号を入力または出力されるためのＲＦパターンと、
ＬＯ（Ｌｏｃａｌ  Ｏｓｃｉｌｌａｔｏｒ：局部発信）信号を供給されるためのＬＯパターンと、
ＩＦ（Ｉｎｔｅｒｍｅｄｉａｔｅ  Ｆｒｅｑｕｅｎｃｙ：中間周波）信号を出力または入力されるためのＩＦパターンと、
２つのダイオードと
を具備する
スロットライン型シングルバランスミキサ回路。
【請求項４】
請求項３に記載のスロットライン型シングルバランスミキサ回路において、
前記グラウンドパターンは、前記線状スロットラインの先端部分に対応する部分の前記誘電体基板を覆っている
スロットライン型シングルバランスミキサ回路。
【請求項５】
請求項３に記載のスロットライン型シングルバランスミキサ回路において、
前記パターン解放部は、前記線状スロットラインの先端部分に対応する部分の前記誘電体基板を露出しており、
前記第２の導体層と、前記グラウンドパターンとを、それぞれ前記線状スロットラインの先端の先と、前記パターン解放部の先端の先とにおいて、前記誘電体基板を貫通して導通する、スルーホール
をさらに具備する
スロットライン型シングルバランスミキサ回路。
【請求項６】
（ａ）多層回路基板において、連続した２枚の誘電体層の間に挟まれた導体層に形成された線状スロットラインの長さが、前記多層回路基板の表面に形成されて前記導体層に導通されたグラウンドパターンが調整されることによって、間接的に調整されることと、
（ｂ）前記グラウンドパターンにおいて、前記線状スロットラインに沿って前記誘電体層が露出した部分であるパターン解放部の形状が、変更されることと、
（ｃ）前記線形スロットラインの長さが変更された場合と同様な効果が得られることと
を具備する
スロットライン調整方法。
【請求項７】
請求項６記載のスロットライン調整方法において、
前記ステップ（ｂ）は、
（ｂ−１）前記グラウンドパターンが具備する導体層の、前記パターン解放部の先端に隣接する部分が取り除かれることと、
（ｂ−２）前記グラウンドパターンの一部が取り除かれることによって、前記誘電体層の、前記線状スロットラインに対応する部分が、露出されることと
を具備し、
前記ステップ（ｃ）は、
（ｃ−１）前記線状スロットラインの長さが延長された場合と同様に、前記線状スロットラインの周波数特性が変化すること
を具備する
スロットライン調整方法。
【請求項８】
請求項６または７に記載のスロットライン調整方法において、
前記ステップ（ｂ）は、
（ｂ−３）前記パターン解放部の先端部分に、調整用導体板が貼り付けられることと、
（ｂ−４）前記調整用導体板が貼り付けられることによって、前記誘電体層の、前記線状スロットラインに対応する部分が、導体によって覆われることと
を具備し、
前記ステップ（ｃ）は、
（ｃ−２）前記線状スロットラインの長さが短縮された場合と同様に、前記線状スロットラインの周波数特性が変化すること
を具備する
スロットライン調整方法。
【発明の詳細な説明】
【技術分野】
【０００１】
本発明は、回路基板に係り、特に、具備されたスロットラインの周波数特性を調整可能な回路基板に係る発明である。
【背景技術】
【０００２】
多層回路基板では、１つの回路が複数の層に分離された構成になり得る。したがって、回路に部品が実装される上で、回路基板面積が節約され得る。この利点が着目されて、マイクロ波通信システムの技術分野では、その応用分野の１つとして、多層回路基板上に構成されたスロットライン型シングルバランスミキサが用いられている。
【０００３】
まず、従来のスロットライン型シングルバランスミキサ回路について説明する。
図１（ａ）と（ｂ）はそれぞれ、２層プリント基板で構成されたスロットライン型シングルバランスミキサ回路の、平面透視図および断面図である。図１（ｂ）で示されるように、第１の導体層（以下「第１層」）と第２の導体層（以下「第２層」）とが１枚の誘電体基板の表裏に形成されている。なお、２層プリント基板においては表裏の第１層も第２層も外層である。
【０００４】
図１（ａ）の平面透視図において、実線で描かれているのは、手前側の第１層である。また、破線で描かれているのは、誘電体層の裏側に位置する第２層である。
【０００５】
第１層には３つのマイクロストリップライン回路１０、１１、１２が形成されている。すなわち、ＲＦ（Ｒａｄｉｏ  Ｆｒｅｑｕｅｎｃｙ：高周波）信号を入力するためのＲＦパターン１０と、ＬＯ（Ｌｏｃａｌ  Ｏｓｃｉｌｌａｔｏｒ：局部発信）信号を供給するためのＬＯパターン１１と、ＩＦ（Ｉｎｔｅｒｍｅｄｉａｔｅ  Ｆｒｅｑｕｅｎｃｙ：中間周波）信号を出力するためのＩＦパターン１２とである。
【０００６】
第２層には、スロットライン１３が形成されている。スロットライン１３は、全面が導体である第２層において、一部導体が抜き取られている部分である。スロットライン１３は、長方形の枠の一辺の中央において、一本の線が直角に繋がっている形状をしている。そこで、便宜上、スロットライン１３を２つの部分に分けて捉え、以下「枠状スロットライン１３ｂ」および「線状スロットライン１３ａ」と呼ぶことにする。なお、枠状スロットライン１３ｂの内側の領域は、枠状スロットライン１３ｂによってその外側から電気的に絶縁されていることになる。
【０００７】
ＲＦパターン１０と、ＬＯパターン１１と、ＩＦパターン１２と、スロットライン１３とが、複数のスルーホール１４によって接続されて、さらに２つのダイオード１５が接続されることで、スロットライン型シングルバランスミキサ回路が形成されている。
【０００８】
一般的に、スロットライン型シングルバランスミキサ回路では、まずＲＦパターン１０からＲＦ信号が、ＬＯパターン１１からＬＯ信号が、それぞれ入力される。次に、ＲＦ信号とＬＯ信号はスロットライン１３と２つのダイオード１５を介してミキシングされて、その結果ＩＦ信号がＩＦパターン１２から出力される。ここで、線状スロットライン１３ａの長さは、ＲＦ信号の１／４波長であることが望ましいとされている。以下、ＲＦ信号の波長を「λ」と表記することにする。
【０００９】
スロットライン型シングルバランスミキサ回路で用いられるＲＦ信号の波長λが事前に確定していれば、線状スロットライン１３ａの長さが最適となるように設計可能な筈である。しかし、実際には、他の回路などが接続されるなどの外的要因によって影響などを受けることがある。その結果、例えばアイソレーションなどの、ミキサ回路としての特性がうまく確保出来ない場合がある。このような場合において、線状スロットライン１３ａの長さを調整して、その周波数特性を調整する必要が生じる。
【００１０】
次に、従来のスロットライン型シングルバランスミキサ回路が多層基板上に形成された場合について説明する。
図２（ａ）と（ｂ）はそれぞれ、４層プリント基板で構成されたスロットライン型シングルバランスミキサ回路の、平面透視図および断面図である。図２（ｂ）に示されるように、４層基板のスロットライン型シングルバランスミキサ回路は、図１の２層基板のものに、２枚目の誘電体層と第３層と３枚目の誘電体層と第４層とを積層的に加えたものに等しい。なお、第１層および第２層については、図１で示された２層プリント基板の場合と全く同じなので、説明を省略する。
【００１１】
第３層と第４層には、マイクロストリップパターンやスロットラインを設けて任意の回路パターンを形成することが可能である。また、表層である第４層には、任意の電子部品を接続したり、他の回路基板などを接続したりしても構わない。
【００１２】
なお、各種スルーホール１４、２４による接続は、基板の全層を貫くので、第１層〜第４層の全てが接続される。したがって、第３層と第４層とに形成された回路は、シングルバランスミキサ回路の任意の場所に信号を入出力可能である。
【００１３】
このように、多層基板への実装上の効率化の観点から、スロットライン型のミキサ回路が多層基板の内層に形成される場合も少なくない。ただし、この場合、基板外層に形成されるＲＦパターン１０、２０、ＬＯパターン１１、２１、ＩＦパターン１２，２２などの調整は可能だが、基板内層のスロットライン２３の調整は困難である。
【００１４】
線状スロットライン２３ａの長さを調整するためには、次のような方法が一般的である。例えば、既に出来上がった線状スロットライン２３ａの先端を導体で短絡させることで、線状スロットライン２３ａの長さは短縮可能である。また、線状スロットライン２３ａの先端の先の導体を取り除くことで、線状スロットライン２３ａの長さを延長出来る。ただし、これは回路パターンが基板外層に形成されている場合には有効だが、基板内層に形成された回路パターンにはそのまま適用出来ない。その場合は、基板製作の際にスロットライン２３上部の基板を抜き、スロットライン２３を剥き出しにしておく手法がある。しかし、このような特殊加工を用いると、基板の製作コストが高くなってしまう。
【００１５】
上記に関連して、特許文献１（実開昭６１−１１３４０４号公報）には、マイクロ波集積回路に係る発明が開示されている。特許文献１発明のマイクロ波集積回路は、スロットラインまたはフインラインを使用する。スロットラインまたはフインラインは、第１の誘電体板の一方の面に設けられる接地導体に溝を設けられて構成される。第２の誘電体板の１個あるいは複数個を、第１の誘電体板上に固定している。第２の誘電体板は、設置導体に設けた溝と直交する所定の長さの１個あるいは複数個のスリット導体を一方の面に有する。
【００１６】
また、特許文献２（特開平５−２９８１８号公報）には、ＴＥＭモード共振器に係る発明が開示されている。特許文献２発明のＴＥＭモード共振器は、グランド電位を持つ外導体面と、グランド導体から離れてかつ平行に位置した浮遊線路導体とを持つ。線路導体に定在波電流が流れＴＥＭあるいは準ＴＥＭモードの電磁界が線路導体を中心に存在する。外導体面上で、線路導体と最も近い位置に線路に直角に両先端短絡のスロット線路が設けられている。スロット線路の長さが変えられることで共振周波数を変えられる。
【００１７】
また、特許文献３（特開平８−１６２８５３号公報）には、スロットライン型シングルバランスミキサに係る発明が開示されている。特許文献３発明のスロットライン型シングルバランスミキサは、第一ＧＮＤ（ＧｒｏｕＮＤ：グラウンド）パターンと、第二ＧＮＤパターンとを備えている。ここで、第一ＧＮＤパターンは、複数の内層のうち一つの内層のほぼ全面に形成されている。第二ＧＮＤパターンは、この第一ＧＮＤパターンと別の内層に形成されている。ＧＮＤ変換用スルーホールから外側の長さｌは、ｌ＜λ／８を満たしている。ただし、λ＝ミキサが取り扱う周波数の実効波長である。多層プリント基板の最上層と最下層にミキサ回路が形成されている。複数の内層にこれらミキサ回路をシールドするＧＮＤパターンが形成されている。これらＧＮＤパターンがＧＮＤ変換用スルーホールによって接続されて、ＧＮＤ変換が行なれる。
【００１８】
また、特許文献４（特開平１０−２９４６２０号公報）には、スロットライン型シングルバランスミキサーに係る発明が開示されている。特許文献４発明のスロットライン型シングルバランスミキサーは、ミキサー回路のグランドパターンを多層基板の内層に他のストリップラインのグランドパターンと統一化して形成している。ここで、スロットライン型シングルバランスミキサーにおいて、多層基板の最上層にミキサー回路が形成されている。また、多層基板の内層及び最下層にはグランドパターンが形成されている。さらに、各層のグランドパターンがグランド変換用のスルーホールによって接続されている。
【００１９】
【特許文献１】実開昭６１−１１３４０４号公報
【特許文献２】特開平５−２９８１８号公報
【特許文献３】特開平８−１６２８５３号公報
【特許文献４】特開平１０−２９４６２０号公報
【発明の開示】
【発明が解決しようとする課題】
【００２０】
本発明の目的は、多層基板の内層に形成されながら、製造後における調整が安価で容易に可能な、スロットラインを含む回路基板を提供することである。
本発明の他の目的は、このような多層基板の内層に形成されたスロットラインの調整方法を提供することである。
【課題を解決するための手段】
【００２１】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００２２】
本発明による回路基板は、誘電体基板と、複数のスルーホール（３６）とを具備する。誘電体基板は、表裏両面にそれぞれ形成された第１の導体層と第２の導体層とを有する。第１の導体層にはグラウンドパターンが形成されている。第２の導体層には線状スロットラインが形成されている。複数のスルーホール（３６）は、誘電体基板を貫通してグラウンドパターン（３７）と線状スロットライン（３３ａ）とを導通する。
グラウンドパターン（３７）は、パターン解放部を具備する。ここで、パターン解放部は、誘電体基板を線状スロットライン（３３ａ）に沿って露出して、線状スロットライン（３３ａ）よりも幅が広い。
複数のスルーホール（３６）は、パターン解放部の両側に形成されている。
【００２３】
本発明の回路基板は、誘電体基板の第２の導体層側に積層された、他の回路基板をさらに具備する。
【００２４】
本発明のスロットライン型シングルバランスミキサ回路は、本発明の回路基板が、ミキサ回路表層部（３０、３１、３２、３５）と、枠状スロットライン（３３ｂ）と、複数の信号用スルーホール（３４）とをさらに具備したものである。ここで、ミキサ回路表層部（３０、３１、３２、３５）は、誘電体基板の第１の面に形成されている。枠状スロットライン（３３ｂ）は、誘電体基板の第２の面にさらに形成されて、線状スロットライン（３３ａ）に接続されている。複数の信号用スルーホール（３４）は、誘導体基板を貫通して、ミキサ回路表層部（３０、３１、３２、３５）と誘電体基板の第２の面の導体層とを導通させる。
ミキサ回路表層部（３０、３１、３２、３５）は、ＲＦパターン（３０）と、ＬＯパターン（３１）と、ＩＦパターン（３２）と、２つのダイオード（３５）とを具備する。ここで、ＲＦパターン（３０）は、ＲＦ信号を入力または出力されるためのものである。ＬＯパターン（３１）は、ＬＯ信号を供給されるためのものである。ＩＦパターン（３２）は、ＩＦ信号を出力または入力されるためのである。
【００２５】
本発明のスロットライン型シングルバランスミキサ回路において、グラウンドパターン（３７）は、線状スロットライン（３３ａ）の先端部分に対応する部分の誘電体基板を覆っている。
【００２６】
本発明のスロットライン型シングルバランスミキサ回路において、パターン解放部は、線状スロットライン（３３ａ）の先端部分に対応する部分の誘電体基板を露出している。
本発明のスロットライン型シングルバランスミキサ回路は、スルーホール（３６）をさらに具備する。ここで、スルーホール（３６）は、第２の導体層と、グラウンドパターン（３７）とを、それぞれ線状スロットライン（３３ａ）の先端の先と、パターン解放部の先端の先とにおいて、誘電体基板を貫通して導通する。
【００２７】
本発明のスロットライン調整方法は、（ａ）多層回路基板において、連続した２枚の誘電体層の間に挟まれた導体層に形成された線状スロットライン（３３ａ）の長さが、多層回路基板の表面に形成されて導体層に導通されたグラウンドパターン（３７）が調整されることによって、間接的に調整されることと、（ｂ）グラウンドパターン（３７）において、線状スロットライン（３３ａ）に沿って誘電体層が露出した部分であるパターン解放部の形状が、変更されることと、（ｃ）線形スロットライン（３３ａ）の長さが変更された場合と同様な効果が得られることとを具備する。
【００２８】
本発明のスロットライン調整方法において、ステップ（ｂ）は、（ｂ−１）グラウンドパターン（３７）が具備する導体層の、パターン解放部の先端に隣接する部分が取り除かれることと、（ｂ−２）グラウンドパターン（３７）の一部が取り除かれることによって、誘電体層の、線状スロットライン（３３ａ）に対応する部分が、露出されることとを具備する。
また、ステップ（ｃ）は、（ｃ−１）線状スロットライン（３３ａ）の長さが延長された場合と同様に、線状スロットライン（３３ａ）の周波数特性が変化することを具備する。
【００２９】
本発明のスロットライン調整方法において、ステップ（ｂ）は、（ｂ−３）パターン解放部の先端部分に、調整用導体板（３９）が貼り付けられることと、（ｂ−４）調整用導体板（３９）が貼り付けられることによって、誘電体層の、線状スロットライン（３３ａ）に対応する部分が、導体によって覆われることとを具備する。
また、ステップ（ｃ）は、（ｃ−２）線状スロットライン（３３ａ）の長さが短縮された場合と同様に、線状スロットライン（３３ａ）の周波数特性が変化することを具備する。
【発明の効果】
【００３０】
本発明の回路基板によると、多層基板の内層に形成されたスロットラインは複数の調整用スルーホールを介して表層のＧＮＤ（ＧｒｏｕＮＤ：グラウンド）パターンに接続されている。このＧＮＤパターンには、スロットラインに良く似た形状のパターン解放部が設けられている。このパターン解放部の形状を変更することによって、スロットラインの形状を変更するのに近い効果が得られる。
本発明のスロットラインの調整方法によると、多層基板の内層に形成されたスロットラインを直接調整する代わりに、多層基板の表層に形成されたパターン解放部の形状を調整すれば良い。多層基板の表層に対する調整処理は、安価で容易である。したがって、多層基板の再設計や再製作の手間が省かれる。
【発明を実施するための最良の形態】
【００３１】
添付図面を参照して、本発明による回路基板を実施するための最良の形態を以下に説明する。
【００３２】
（第１の実施例）
図３は、本発明の第１の実施例によるスロットライン型シングルバランスミキサ回路の４層構造を説明するための透視俯瞰図である。
本実施例のシングルバランスミキサ回路は、４層基板上に構成されている。すなわち、４枚の導体基板と、これらそれぞれの間に位置する３枚の誘電体基板とを具備する。なお、本実施例の回路基板は４層構造だが、２層構造以上であれば本発明は適用可能である。ただし、本発明の真価が発揮されるのは、スロットラインが２枚の誘電体層の間に形成されている場合であって、これはすなわち回路基板が３層構造以上であることが前提となる。
【００３３】
本実施例の回路基板において、４枚の導体基板を、便宜上、上から順に第１層〜第４層と呼ぶ。第１層と第２層とに、スロットライン型シングルバランスミキサ回路が形成されている。
【００３４】
図４（ａ）は、本実施例によるシングルバランスミキサ回路の透視平面図である。手前側の第１層が実線で、誘電体の向こう側の第２層が破線で、それぞれ描かれている。なお、第３層と第４層の図示は省略されている。
【００３５】
第１層には、ＲＦパターン３０と、ＬＯパターン３１と、ＩＦパターン３２とが形成され、また、２つのダイオード３５が具備されている。第１層には、さらに、ＧＮＤパターン３７も形成されている。
【００３６】
第２層には、スロットライン３３が位置している。そのうち、線状スロットラインの先端は、第２層の端に向って伸びているが、その端にまでは届いていない。つまり、洗浄スロットラインの先端と、第２層の端との間には、後述する調整用スルーホール３６が設けられるに十分な距離がある。
【００３７】
なお、ＲＦパターン３０と、ＬＯパターン３１と、ＩＦパターン３２と、スロットライン３３の形状は、図３や図４に示されたものに限定されない。例えば、他の設計上の理由に応じて、パターンの形状を曲げたりしても構わない。
【００３８】
第１層のＧＮＤパターン３７の形状は、おおよそ長方形であるが、パターンの一部が抜かれており、誘電体が露出している。これを以下「パターン解放部」と呼ぶことにする。パターン解放部は、第１層の導体が第２層のスロットライン３３の電磁気的特性に与える影響を防ぐために設けられている。第１層と第２層との間に位置する誘電体基板を透視した場合に、スロットライン３３と重ならないよう、さらに多少の余裕を持って設計されている。したがって、パターン解放部の幅は、スロットライン３３の幅よりも多少大きいことが望ましい。以下、パターン解放部の長さを「Ｌ」と記すことにする。
【００３９】
第３層と第４層については、本発明として制限は特に無い。すなわち、第３層と第４層には、どんなパターンや回路が形成されていても構わない。また、回路基板の裏面に相当する第４層には、いかなる電子部品が設けられていても構わない。
【００４０】
回路基板には、その全ての導体基板と全ての誘電体層とを貫通する複数のスルーホール３４、３６が形成されている。これらのスルーホール３４、３６は、その位置において全ての導体基板を導通、すなわち電気的に接続するものである。
【００４１】
これらのスルーホール３４、３６は、その目的に応じて、信号用スルーホール３４と、調整用スルーホール３６とに分けられる。信号用スルーホール３４の主目的は、スロットライン型シングルバランスミキサ回路の各部品を接続することである。信号用スルーホール３６の主目的は、スロットライン３３をＧＮＤパターン３７に接続することである。
【００４２】
スロットライン型シングルバランスミキサ回路の各部品の接続について説明する。
第１層のＲＦパターン３０は、第１の信号用スルーホール３４を介して第２層に導通されている。この第１の信号用スルーホール３４は、枠状スロットライン３３ｂの外側、かつ、線状スロットライン３３ａの脇に位置している。
【００４３】
この信号用スルーホール３４の隣りには、やはり枠状スロットライン３３ａの外側、かつ、線状スロットラインの脇に位置しているのだが、第２の信号用スルーホール３４が用いられている。第２の信号用スルーホール３４は、第２層のスロットライン３３と、第１層の第１のダイオード３５のカソードとを接続している。
【００４４】
第１のダイオード３５のアノードは、第３の信号用スルーホール３４と、第２のダイオード３５のカソードとに接続されている。
【００４５】
第３の信号用スルーホール３４は、第２層の枠状スロットライン３３ｂの内側に位置している。ここで、第３の信号用スルーホール３４は、線状スロットライン３３ａと枠状スロットライン３３ｂとの接続部の付近に位置している。
【００４６】
第２のダイオード３５のアノードは、第４の信号用スルーホール３４に接続されている。
【００４７】
第４の信号用スルーホール３４は、第２層の枠状スロットライン３３ｂの外側、かつ、線状スロットライン３３ａの脇に位置している。ここで、第４の信号用スルーホール３４は、線状スロットラインを挟んで、第１または第２の信号用スルーホール３４とは反対側に位置している。
【００４８】
第２層の枠状スロットライン３３ｂの内側には、第５の信号用スルーホール３４も接続されている。ここで、第５の信号用スルーホール３４は、第３の信号用スルーホール３４とは対極の位置、すなわち、線状スロットライン３３ａと枠状スロットライン３３ｂとの接続部から最も離れた場所に位置している。
【００４９】
第５の信号用スルーホール３４は、ＬＯパターン３１に接続されている。
【００５０】
ＬＯパターン３１は、ＩＦパターン３２に接続されている。
【００５１】
複数の調整用スルーホール３６は、第１層のＧＮＤパターン３７と、第２層のスロットライン３３とを接続している。複数の調整用スルーホール３６は、ＧＮＤパターン３７のパターン解放部の両脇と、先端の先とを、線状スロットライン３３ａの両脇と、先端との先とを、それぞれ接続している。ここで、全ての調整用スルーホール３６は、第２層において、線状スロットライン３３ａからＲＦ周波数の１／４λ以内の距離に位置している。
【００５２】
第１層に形成されたＲＦパターン３０と、ＬＯパターン３１と、ＩＦパターン３２と、２つのダイオード３５と、第２層に形成されたスロットライン３３とが、複数の信号用スルーホール３４によって接続されている。この部分はスロットライン型シングルバランスミキサ回路として動作する。なお、シングルバランスミキサ回路そのものは、従来技術なので、その基本的な動作の説明は省略する。
【００５３】
図５は、本実施例によるスロットライン型シングルバランスミキサ回路の、スロットライン３３が理想的に調整された場合の、透視平面図である。１つには、枠状スロットライン３３ｂの内側において、第３の信号用スルーホール３４と第５の信号用スルーホール３４との間での距離をこの枠に沿って計った時に、ＲＦ周波数の１／４λであることが望ましい。もう１つには、線状スロットライン３３ａの長さが、ＲＦ周波数の１／４λであることが望ましい。
【００５４】
しかし、本実施形態においては、スロットライン３３は２枚の誘電体層の間に形成されているので、線状スロットライン３３ａの長さを直接調整できない。そこで、本発明ではその代わりに、線状スロットライン３３ａに複数の調整用スルーホール３６を介して接続されたＧＮＤパターン３７のパターン解放部の形状を調整する。これによって、線状スロットライン３３ａの長さを調整するのと同様に、線状スロットライン３３ａの周波数特性が調整可能となる。
【００５５】
図４（ｂ）は、調整後のスロットライン型シングルバランスミキサ回路の平面図である。図４（ａ）と比べて、調整用導体板３８が追加されている。
【００５６】
図４（ｃ）は、図４（ｂ）を線Ｃ−Ｃ’で切った場合の断面図である。調整用導体板３８は、第１層のＧＮＤパターン３７の上に形成されている。調整用導体板３８とＧＮＤパターン３７は導通している。したがって、調整用導体板３８が追加されることは、ＧＮＤパターン３７のパターン解放部が短縮されることと等価である。パターン解放部の長さをＬ、パターン解放部のうち調整用導体板３８と重なる領域の長さをＬ’とすると、パターン解放部の長さはＬ−Ｌ’に短縮されている。
【００５７】
この時、線状ロットライン３３ａが約Ｌ’の長さだけ短くなったのと同様に、線状スロットライン３３ａの周波数特性が調整される。このようにして、線状スロットライン３３ａの長さがＲＦ周波数の１／４λとなるような調整が可能である。
【００５８】
ただし、（２Ｌａ＋Ｌｂ）の長さだけ、誤差が生じている。ここで、Ｌａは、スロットライン３３から調整用スルーホール３６までの距離である。また、Ｌｂは、第１層のＧＮＤパターンから第２層のスロットラインまでの距離、すなわち両者間の誘電体層の厚みである。
【００５９】
なお、当然ながら誘電体の厚みＬｂを０にすることは出来ない。
【００６０】
（第２の実施例）
図４（ａ）は、本実施例によるスロットライン型シングルバランスミキサ回路の４層構造のうち、第１層と第２層とを説明するための透視平面図である。本実施例と第１の実施例とには共通点が多いので、両者の相違点のみを説明し、共通点についてはその説明を省略する。
【００６１】
主な相違点は２つある。１つ目は、第１層のＧＮＤパターンにおけるパターン解放部についてである。第１の実施例では、誘電体層を透視した場合に線状スロットラインを覆わないようにパターン解放部が形成されていた。本実施例のパターン解放部は、誘電体層を透視した場合に線状スロットラインの先端部分を覆うように、第１の実施例の場合よりも多少短縮されている。
【００６２】
２つ目の相違点は、第１層のＧＮＤパターンと第２層のスロットラインとを接続する調整用スルーホール３６についてである。第１の実施例で設けられていた、線状スロットラインの先端の先の調整用スルーホール３６が、本実施例では無い。
【００６３】
図４（ｂ）は、本実施例によるスロットライン型シングルバランスミキサ回路における調整方法を説明するための、４層それぞれの平面図である。第１の実施例ではスロットライン型シングルバランスミキサ回路の線状スロットラインの線状スロットラインバターン長を間接的に短縮可能である。本実施例では、反対に、線状スロットラインの長さを間接的に長くすることで調整行なう。
【００６４】
本実施例では、パターン解放部の長さを延長することで、線状スロットライン３３ａを長くした場合と同様に、線状スロットライン３３ａの周波数特性を調整可能である。そのためには、ＧＮＤパターン３７の一部を削り取って、パターン解放部を線状スロットライン３３ａに沿って拡張する。
【００６５】
例えば、図６（ａ）、（ｂ）の場合では、調整用ＧＮＤパターン領域３９が削り取られることによって、ＧＮＤパターン３７のパターン解放部の長さがＬからＬ＋Ｌ’’に延長される。
【００６６】
このとき、パターン解放部の幅は一様であることが望ましい。また、拡張されたパターン解放部が、誘電体層を透過して見た時に、線状スロットライン３３ａの先端を露出させないことが望ましい。
【００６７】
なお、第１の実施例と同様に、線状スロットラインの長さを間接的に短縮することが可能である。すなわち、調整用導体板３８を追加してパターン解放部の長さを短縮することによって、線状スロットライン３３ａの長さを短縮するの同様に、線状スロットライン３３ａの周波数特性を調整可能である。したがって、本実施例では、線状スロットライン３３ａの長さを、間接的ではあるが、延長と短縮の両方の方向に調整することが可能である。
【００６８】
ここまでの説明において、第１の実施例でも第２の実施例でも、ＲＦ信号とＬＯ信号とが入力されてＩＦ信号が出力されるシングルバランスミキサ回路について論じた。これはダウンコンバータとして動作するシングルバランスミキサ回路である。しかし、本発明の本質は、スロットライン３３とＧＮＤパターンとの接続にあるので、シングルバランスミキサ回路が必ずしもダウンコンバータとして動作する必要は無い。すなわち、ＩＦ信号とＬＯ信号とが入力されてＲＦ信号が出力される、アップコンバータとして動作するシングルバランスミキサ回路にも本発明は適用可能である。
【００６９】
さらに言えば、本発明の適用範囲はシングルバランスミキサ回路に限定されない。したがって、スロットライン３３と、その長さを調整するためのＧＮＤパターン３７、両者を接続するための調整用スルーホール３６とを具備する全ての回路基板に本発明は適用可能である。
【図面の簡単な説明】
【００７０】
【図１】図１は、従来技術によるシングルバランスミキサ回路の２層構造を説明するための透視平面図（ａ）と断面図（ｂ）である。
【図２】図２は、従来技術によるシングルバランスミキサ回路の４層構造を説明するための透視平面図（ａ）と断面図（ｂ）である。
【図３】図３は、本発明の第１の実施例によるシングルバランスミキサ回路の４層構造を説明するための透視俯瞰図である。
【図４】図４は、本発明の第１の実施例によるシングルバランスミキサ回路を説明するための図である。図４（ａ）は、４層構造のシングルバランスミキサ回路のうち、第１層と第２層との関係を説明するための、透視平面図である。図４（ｂ）は、図２（ａ）のシングルバランスミキサ回路に調整用導体板が追加された場合の透視平面図である。図４（ｃ）は、図４（ｂ）の断面図である。
【図５】図５は、本発明の第１の実施例によるスロットライン型シングルバランスミキサ回路の、スロットラインが理想的に調整された場合の、透視平面図である。
【図６】図６は、本発明の第２の実施例によるシングルバランスミキサ回路の４層構造を説明するための透視平面図（ａ）と断面図（ｂ）である。
【符号の説明】
【００７１】
１０、  ２０、  ３０    ＲＦパターン
１１、  ２１、  ３１    ＬＯパターン
１２、  ２２、  ３２    ＩＦパターン
１３、  ２３、  ３３    スロットライン
１３ａ、２３ａ、３３ａ  線状スロットライン
１３ｂ、２３ｂ、３３ｂ  枠状スロットライン
１４、  ２４、  ３４    信号用スルーホール
１５、  ２５、  ３５    ダイオード
１６、  ２６            第２層（スロットライン用導体層）
３６    調整用スルーホール
３７    ＧＮＤパターン
３８    調整用導体板
３９    調整用ＧＮＤパターン領域
【図１】
2009021668.tif 000003
【図２】
2009021668.tif 000004
【図３】
2009021668.tif 000005
【図４】
2009021668.tif 000006
【図５】
2009021668.tif 000007
【図６】
2009021668.tif 000008